(57)【要約】【課題】伝送方式の異なる監視カメラから出力される撮像信号を伝送方式に応じて切り替えて受信でき、前記監視カメラの撮像動作を確認できる監視カメラ用動作確認装置を提供する。【解決手段】監視カメラから出力される撮像信号が第１の伝送方式で出力されるか第２の伝送方式で出力されるかに応じて、前記撮像信号の受信方式を切り替える。第１の外部接続端子６Ａと第２の外部接続端子６Ｂとを具備し、監視カメラの撮像信号が第１の伝送方式で出力される場合、第１の外部接続端子６Ａから監視カメラへ駆動電力を供給するとともに、前記監視カメラからの撮像信号を受信し、前記監視カメラの撮像信号が第２の伝送方式で出力される場合、第１の外部接続端子６Ａから前記監視カメラへ駆動電力を供給し、第２の外部接続端子６Ｂで前記監視カメラからの撮像信号を受信する。【選択図】図２
0003211843.tif 000002
【実用新案登録請求の範囲】
【請求項１】
監視カメラの撮像動作を確認するためのモニタを備え、前記監視カメラから出力される撮像信号が第１の伝送方式で出力されるか第２の伝送方式で出力されるかに応じて、前記撮像信号の受信方式を切り替え可能な監視カメラ用動作確認装置であって、
前記監視カメラへ駆動電力を供給するとともに、前記監視カメラからの撮像信号を受信するための同軸ケーブルを接続する第１の外部接続端子と、
前記監視カメラからの撮像信号を受信するための同軸ケーブルを接続する第２の外部接続端子とを具備し、
前記監視カメラの撮像信号が第１の伝送方式で出力される場合、前記第１の外部接続端子に接続された同軸ケーブルから前記監視カメラへ駆動電力を供給するとともに、前記監視カメラからの撮像信号を受信し、
前記監視カメラの撮像信号が第２の伝送方式で出力される場合、前記第１の外部接続端子に接続された同軸ケーブルから前記監視カメラへ駆動電力を供給し、前記第２の外部接続端子に接続された同軸ケーブルで前記監視カメラからの撮像信号を受信することを特徴とする監視カメラ用動作確認装置。
【請求項２】
前記第１の伝送方式は、前記撮像信号をアナログ信号として出力し、
前記第２の伝送方式は、前記撮像信号をデジタル信号として出力する、請求項１に記載の監視カメラ用動作確認装置。
【請求項３】
前記第１の外部接続端子との間に、前記監視カメラへ駆動電力を供給する際に過電流を制限する過電流制限回路が介配線されてなる、請求項１又は２に記載の監視カメラ用動作確認装置。
【請求項４】
前記監視カメラ用動作確認装置は、
平面視が、一対の長辺および一対の短辺からなる略矩状の箱型筺体であり、
前記監視カメラへ駆動電力を供給する電源となる電池が、前記長辺方向及び／又は前記短辺方向における前記筺体の中央部に配置されてなる、請求項１ないし３のいずれかに記載の監視カメラ用動作確認装置。
【請求項５】
前記一対の短辺に対応する前記箱型筺体の側面に、取り付け角度が調整可能に接続され、
下倒状態で前記箱型筺体下端から突出する一対のストラップリングを備える、請求項１ないし４のいずれかに記載の監視カメラ用動作確認装置。
【考案の詳細な説明】
【技術分野】
【０００１】
本考案は、監視カメラ用動作確認装置に関し、特に、監視カメラの撮像動作を確認するためのモニタを備える監視カメラ用動作確認装置に関する。
【背景技術】
【０００２】
監視システムにおける監視カメラは、目的に応じて各種のカメラが利用され、撮像信号の伝送方式も異なる。例えば、監視カメラの同期をとる方式にも、外部からの同期信号を受信して同期をとって画像を伝送する方式や、カメラ映像受信装置から画像伝送用同軸ケーブルを使って同期信号を送信して、複数の監視カメラを同期させる方式などがある。
【０００３】
しかし、従来の監視システムでは、目的に応じて種々の同期方式の監視カメラを混在して使用することはできないという問題があった。特に、カメラの同期方式には、外部からの同期信号で動作する方式や、同軸ケーブルからの同期信号で動作する方式等複数の方式があるため、監視システムを構築するときに特定の方式の監視カメラしか接続できないという問題があった。
【０００４】
そこで、従来の監視システムには、外部同期方式の監視カメラと内部同期方式の監視カメラを混在して使用できる監視システムを提案するものがある（例えば、特許文献１参照）。
【先行技術文献】
【特許文献】
【０００５】
【特許文献１】特開２０００−２４４８９６号公報
【考案の概要】
【考案が解決しようとする課題】
【０００６】
上記特許文献１に提案される監視システムでは、モニタ部のモニタまたはフレームスイッチャーに、外部同期信号を必要とする監視カメラを含む複数の監視カメラを同期させるための同期信号発生回路を備えた構成とし、外部同期方式の監視カメラと内部同期方式の監視カメラを混在して使用することができるように構成されている。
【０００７】
しかしながら、特許文献１に提案される監視システムでは、外部同期方式の監視カメラと内部同期方式の監視カメラを混在して使用することはできるが、伝送方式の異なる監視カメラを切り替えて、監視カメラの撮像動作を確認することはできない。
【０００８】
本考案は、上記課題の解決のためになされたものであり、伝送方式の異なる監視カメラから出力される撮像信号を伝送方式に応じて切り替えて受信でき、前記監視カメラの撮像動作を確認できる監視カメラ用動作確認装置を提供することを目的とする。
【課題を解決するための手段】
【０００９】
上記の課題を解決すべく、第１の考案に係る監視カメラ用動作確認装置は、監視カメラの撮像動作を確認するためのモニタを備え、前記監視カメラから出力される撮像信号が第１の伝送方式で出力されるか第２の伝送方式で出力されるかに応じて、前記撮像信号の受信方式を切り替え可能な監視カメラ用動作確認装置であって、前記監視カメラへ駆動電力を供給するとともに、前記監視カメラからの撮像信号を受信するための同軸ケーブルを接続する第１の外部接続端子たる第１コネクタと、前記監視カメラからの撮像信号を受信するための同軸ケーブルを接続する第２の外部接続端子たる第２コネクタとを具備し、前記監視カメラの撮像信号が第１の伝送方式で出力される場合、前記第１の外部接続端子に接続された同軸ケーブルから前記監視カメラへ駆動電力を供給するとともに、前記監視カメラからの撮像信号を受信し、前記監視カメラの撮像信号が第２の伝送方式で出力される場合、前記第１の外部接続端子に接続された同軸ケーブルから前記監視カメラへ駆動電力を供給し、前記第２の外部接続端子に接続された同軸ケーブルで前記監視カメラからの撮像信号を受信することを特徴とする。
【００１０】
上記構成によれば、伝送方式の異なる監視カメラから出力される撮像信号を伝送方式に応じて切り替えて受信でき、前記監視カメラの撮像動作をモニタで確認することができる。
【００１１】
第２の考案に係る監視カメラ用動作確認装置は、上記第１の考案において、前記第１の伝送方式は、前記撮像信号をアナログ信号として出力し、前記第２の伝送方式は、前記撮像信号をデジタル信号として出力することを特徴とする。
【００１２】
上記構成によれば、例えば、撮像信号をアナログ信号として出力するＣＶ（コンパクトヴイ）カメラ(ＣＶＣ)と、撮像信号をデジタル信号として出力するＨＤ-ＳＤＩカメラ（ＨＳＣ）のいずれにも対応することができる。
【００１３】
第３の考案に係る監視カメラ用動作確認装置は、上記第１又は第２の考案において、前記第１の外部接続端子との間に、前記監視カメラへ駆動電力を供給する際に過電流を制限する過電流制限回路が介配線されてなることを特徴とする。
【００１４】
上記構成によれば、監視カメラへの電力供給時の過電流をリミッタ制限し、電源配線の短絡による故障を防ぐことができる。
【００１５】
第４の考案に係る監視カメラ用動作確認装置は、上記第１ないし第３のいずれかの考案において、前記監視カメラ用動作確認装置は、平面視が、一対の長辺および一対の短辺からなる略矩状の箱型筺体であり、前記監視カメラへ駆動電力を供給する電源となる電池が、前記長辺方向及び／又は前記短辺方向における前記筺体の中央部に配置されてなることを特徴とする。
【００１６】
上記構成によれば、重量物である電池が箱型筺体の略中央に配置されることとなるため、安定性が向上する。このため、箱型筺体をストラップ等を用いて首などに吊り下げる際の重量バランスが良く、安定角度でモニタを視認することができる。
【００１７】
本考案に係る監視カメラ用動作確認装置は、前記一対の短辺に対応する前記箱型筺体の側面に、取り付け角度が調整可能に接続され、下倒状態で前記箱型筺体下端から突出する一対のストラップリングを備えることを特徴とする。
【００１８】
上記構成によれば、箱型筺体の側面のストラップリングの一方/他方/両側を下倒することで、監視カメラ用動作確認装置を地面等の水平面に載置した際に、箱型筺体の左側が右側よりも高い状態、箱型筺体の右側が左側よりも高い状態等、複数の状態を取り得ることができ、モニタの方向を調整することができる。このため、太陽光が射すような野外でのモニタの視認の際に、光の反射を抑制して視認しやすい角度に調整することができる。また、箱型筺体の裏面が接地しないため、接地による電磁緩衝を防ぐことができる。
【考案の効果】
【００１９】
以上説明したように、本考案によれば、伝送方式の異なる監視カメラから出力される撮像信号を伝送方式に応じて切り替えて受信でき、前記監視カメラの撮像動作を確認できる監視カメラ用動作確認装置を提供することができる。
【図面の簡単な説明】
【００２０】
【図１】実施例に係る監視カメラ用動作確認装置の内部構成を示す図である。
【図２】実施例に係る監視カメラ用動作確認装置にＣＶカメラ（コンパクトヴイカメラ（登録商標））を接続した状態を示す平面図である。
【図３】実施例に係る監視カメラ用動作確認装置にＣＶカメラを接続した状態を示す側面図である。
【図４】実施例に係る監視カメラ用動作確認装置にＨＤ−ＳＤＩカメラを接続した状態を示す側面図である。
【図５】実施例に係る監視カメラ用動作確認装置の取り得る載置状態を示す図である。
【考案を実施するための形態】
【００２１】
（実施例）
以下、実施例に係る監視カメラ用動作確認装置について説明するが、以下の説明において、監視カメラ用動作確認装置の幅方向をＸ、奥行方向をＹ、高さ方向をＺとする。また以下の説明において、構成名称に続いて記載する数字乃至アルファベット列は、実施例の各図における相当構成を参照するための参照用符号であり、それによって構成の概念や形状を限定するものではない。
【００２２】
（監視カメラ用動作確認装置の構成）
図１は、本考案の実施例に係る監視カメラ用動作確認装置の構成を示す図である。図１に示すように、実施例に係る監視カメラ用動作確認装置１は、平面視において、幅方向Ｘの一対の長辺と、奥行方向Ｙの一対の短辺とからなる下筺体１０１および上筺体１０２とで構成される略矩形状の箱型筺体（ケーシング）を有する。
【００２３】
上筺体１０２には、監視カメラの撮像動作を確認するための液晶モニタ３が収容されている。具体的には、ユーザは、監視カメラを監視カメラ用動作確認装置に接続し、監視カメラで撮像される映像を、液晶モニタ３で確認することができる。なお、液晶モニタ３は、有機ＥＬモニタ等であってもよい。
【００２４】
下筺体１０１の側面１０１ａには、第１の伝送方式（アナログ信号）で撮像信号が伝送される監視カメラ（ＣＶカメラ（コンパクトヴイカメラ（登録商標）））を外部接続（ＣＶＣ接続）するための第１コネクタ６Ａ（第１の外部接続端子）を備える。第１コネクタ６Ａは、監視カメラへ駆動電力を供給するとともに、監視カメラからの撮像信号を受信するための同軸ケーブルを接続するためのバイオネットロック型のコネクタである。
【００２５】
また、下筺体１０１の側面１０１ａには、第２の伝送方式（デジタル信号）で撮像信号が伝送される監視カメラ（ＨＤ−ＳＤＩカメラ）を外部接続（ＨＳＣ接続）するための第２コネクタ６Ｂ（第２の外部接続端子）を備える。第２コネクタ６Ｂは、監視カメラからの撮像信号を受信するための同軸ケーブルを接続するためのバイオネットロック型のコネクタである。なお、この第２コネクタ６Ｂからは、監視カメラへ駆動電力を供給することはできない。
【００２６】
また、第１コネクタ６Ａと第２コネクタ６Ｂとは、所定の間隔を隔てて下筺体１０１の側面１０１ａに設けられており、第１コネクタ６Ａと第２コネクタ６Ｂとの間である下筺体１０１の側面１０１ａの中央には、監視カメラ用動作確認装置を首等にぶら下げるためのストラップ７Ｓ（図２参照）を通すストラップリング７がピン７０により回動可能に取り付けられている。また、側面１０１ａと同様に、下筺体１０１の側面１０１ｂ中央にも、監視カメラ用動作確認装置を首等にぶら下げるためのストラップ７Ｓを通すストラップリング７がピン７０により回動可能に取り付けられている。なお、図３及び図４に示すように、ストラップリング７を下倒状態とすると下筺体１０１の下端から、ストラップリング７が突出量７Ｔだけ突出するように構成されている。
【００２７】
さらに、図３に示すように、下筺体１０１の側面１０１ａには、第１コネクタ６Ａの上部に、第１コネクタ６Ａの切り替えスイッチ６１Ａ（例えば、トグルスイッチ）が設けられ、第２コネクタ６Ｂの上部に、第２コネクタ６Ｂの切り替えスイッチ６１Ｂ（例えば、トグルスイッチ）が設けられている。ユーザは、この切り替えスイッチ６１Ａおよび／または６１Ｂを操作することにより、監視カメラの種別、具体的には、ＣＶカメラ（ＣＶＣ接続）かＨＤ−ＳＤＩカメラ（ＨＳＣ）接続かを切り替えて、監視カメラの撮像動作を確認することができる。
【００２８】
また、図１に示すように、下筺体１０１の幅方向Ｘの一対の長辺方向における中央部には、監視カメラへ駆動電力を供給する電源となる電池２を収容する電池ボックス２０が配置されている。最も重い電池２を監視カメラ用動作確認装置の幅方向Ｘおよび奥行方向Ｙの中央部に配置することにより、ストラップ７Ｓ等により監視カメラ用動作確認装置を首等にぶら下げる際のバランスが保たれる。なお、本実施例では、電池２は、外部電源からの充電が可能な二次電池であるが、一次電池としてもよい。
【００２９】
また、電池ボックス２０の左側には、回路基板１が配置されている。回路基板１は、電池２の電圧を液晶モニタ３や監視カメラに適した電圧（例えば、２４Ｖや１２Ｖ）に調整する電子電圧調整回路や監視カメラから出力される撮像信号をエンコードするためのＩＣ回路等が実装されている。
【００３０】
また、監視カメラ用動作確認装置は、下筺体１０１の側面１０１ｃに外部電源接続用の電源コネクタ８を備えており、外部電源での駆動が可能となっている。なお、電源コネクタ８は、回路基板１を介して電池ボックス２０に電気的に接続されており、外部電源により監視カメラ用動作確認装置を駆動しながら、電池２（二次電池）の充電が可能となっている。
【００３１】
さらに、下筺体１０１の側面１０１ｃには、監視カメラ用動作確認装置のＯＮ／ＯＦＦを行うための電源スイッチ５が設けられている。ユーザは、電源スイッチ５をＯＮすることで、監視カメラ用動作確認装置の使用が可能となる。また、不使用時には、電源スイッチ５をＯＦＦすることで、電池２の消耗を防止することができる。また、下筺体１０１の側面１０１ｃには、監視カメラ用動作確認装置の電源がＯＮであるかＯＦＦであるかを確認できるターミナルランプ５Lが設けられている。ターミナルランプ５Lは、例えば、LED（発光ダイオード）であり、監視カメラ用動作確認装置の電源がＯＮであるときは点灯し、監視カメラ用動作確認装置の電源がOFFであるときは消灯する。
【００３２】
また、本実施例の監視カメラ用動作確認装置は、下筺体１０１の側面１０１ｄの内側に、監視カメラへ駆動電力を供給する際に過電流を制限する過電流制限回路４を備えている。つまり、本実施例の監視カメラ用動作確認装置は、電源２と第１コネクタ６Ａとの間に、監視カメラへ駆動電力を供給する際に過電流を制限する過電流制限回路４が実装されている。なお、この過電流制限回路４を回路基板１に実装するようにしてもよい。
【００３３】
（ＣＶカメラ（コンパクトヴイカメラ）の接続）
図２に示すように、監視カメラとしてＣＶカメラを外部接続（ＣＶＣ接続）する際には、同軸ケーブルＣＣの一方の端子ＣＣ１を監視カメラＣＶＣに接続し、他方の端子ＣＣ１を監視カメラ用動作確認装置の第１コネクタ６Ａに接続する。また、図３に示すように、切り替えスイッチ６１Ａ，６１Ｂをともに右側（側面１０１ｃ側）へと傾倒した状態とする。これにより、第１コネクタ６Ａから監視カメラＣＶＣへ駆動電力が供給されるとともに、監視カメラＣＶＣから出力される撮像信号を受信して、監視カメラＣＶＣの撮像映像を液晶モニタ３で確認することができる。
【００３４】
（ＨＤ−ＳＤＩカメラの接続）
図４に示すように、監視カメラとしてＨＤ−ＳＤＩカメラを外部接続（ＨＳＣ接続）する際には、２本の同軸ケーブルの一方の端子ＣＣ２を監視カメラＨＳＣに接続し、他方の端子ＣＣ２を監視カメラ用動作確認装置の第１コネクタ６Ａおよび第２コネクタ６Ｂに接続する。また、図４に示すように、切り替えスイッチ６１Ａを右側（側面１０１ｃ側）へと傾倒し、切り替えスイッチ６１Ｂを左側（側面１０１ｄ側）へと傾倒した状態とする。これにより、第１コネクタ６Ａから監視カメラＨＳＣへ駆動電力Ａが供給されるとともに、監視カメラＨＳＣから出力される撮像信号ＶＳを第２コネクタ６Ｂで受信して、監視カメラＨＳＣの撮像映像を液晶モニタ３で確認することができる。
【００３５】
（監視カメラ用動作確認装置の載置）
次に、監視カメラ用動作確認装置をストラップリング７を利用して地盤等の水平面上に載置する際に取り得る状態について、図５を参照して説明する。
【００３６】
（第１の載置状態）
監視カメラ用動作確認装置の下筺体１０１の両側面１０１ａ，１０１ｂに設けられているストラップリング７を両方とも下倒状態（高さ方向Ｚの下向き）とする。ストラップリング７は、下倒状態で下筺体１０１の下端から突出するため、図５（ｂ１）および図５（ｃ１）に示すように、監視カメラ用動作確認装置がストラップリング７により持ち上げられ、下筺体１０１の側面１０１ｃ側の下端のみが接地した状態となる。なお、監視カメラ用動作確認装置のバランス状態によっては、筺体１０１の側面１０１ｄ側の下端のみが接地した状態を取り得る。
【００３７】
（第２の載置状態）
次に、監視カメラ用動作確認装置の下筺体１０１の側面１０１ｂに設けられているストラップリング７のみを下倒状態（高さ方向Ｚの下向き）とする。ストラップリング７は、下倒状態で下筺体１０１の下端から突出するため、図５（ｂ２）および図５（ｃ２）に示すように、下筺体１０１の側面１０１ｂ側がストラップリング７により持ち上げられ、下筺体１０１の側面１０１ａ側の下端のみが接地した状態となる。
【００３８】
（第３の載置状態）
次に、監視カメラ用動作確認装置の下筺体１０１の側面１０１ａに設けられているストラップリング７のみを下倒状態（高さ方向Ｚの下向き）とする。ストラップリング７は、下倒状態で下筺体１０１の下端から突出するため、図５（ｂ３）および図５（ｃ３）に示すように、下筺体１０１の側面１０１ａ側がストラップリング７により持ち上げられ、下筺体１０１の側面１０１ｂ側の下端のみが接地した状態となる。
【００３９】
以上のように、実施例に係る監視カメラ用動作確認装置は、監視カメラの撮像動作を確認するためのモニタ３を備え、監視カメラから出力される撮像信号が第１の伝送方式（アナログ信号）で出力されるか第２の伝送方式（デジタル信号）で出力されるかに応じて、撮像信号の受信方式を切り替え可能な監視カメラ用動作確認装置である。
【００４０】
そして、監視カメラへ駆動電力を供給するとともに、監視カメラからの撮像信号を受信するための同軸ケーブルを接続する第１の外部接続端子（第１コネクタ６Ａ）と、監視カメラからの撮像信号を受信するための同軸ケーブルを接続する第２の外部接続端子（第２コネクタ６Ｂ）とを具備し、監視カメラの撮像信号が第１の伝送方式（アナログ信号）で出力される場合、第１の外部接続端子（第１コネクタ６Ａ）に接続された同軸ケーブルＣＣから監視カメラへ駆動電力を供給するとともに、監視カメラからの撮像信号を受信する（ＣＶＣ接続）。
【００４１】
また、監視カメラの撮像信号が第２の伝送方式（デジタル信号）で出力される場合、第１の外部接続端子（第１コネクタ６Ａ）に接続された同軸ケーブルから監視カメラへ駆動電力を供給し、第２の外部接続端子（第２コネクタ６Ｂ）に接続された同軸ケーブルで監視カメラからの撮像信号を受信する（ＨＳＣ接続）。
【００４２】
このため、伝送方式の異なる監視カメラから出力される撮像信号を伝送方式に応じて切り替えて受信でき、監視カメラの撮像動作をモニタで確認することができる。
【００４３】
また、本実施例に係る監視カメラ用動作確認装置では、第１の伝送方式は、撮像信号をアナログ信号として出力し、第２の伝送方式は、撮像信号をデジタル信号として出力している。
【００４４】
このため、例えば、撮像信号をアナログ信号として出力するＣＶカメラ(ＣＶＣ)と、撮像信号をデジタル信号として出力するＨＤ-ＳＤＩカメラ（ＨＳＣ）のいずれにも対応することができる。
【００４５】
本実施例に係る監視カメラ用動作確認装置は、第１の外部接続端子（第１コネクタ６Ａ）との間に、監視カメラへ駆動電力を供給する際に過電流を制限する過電流制限回路４が介配線されている。
【００４６】
このため、監視カメラへの電力供給時の過電流をリミッタ制限し、電源配線の短絡による故障を防ぐことができる。
【００４７】
本実施例に係る監視カメラ用動作確認装置は、平面視が、一対の長辺および一対の短辺からなる略矩状の箱型筺体であり、監視カメラへ駆動電力を供給する電源となる電池２が、長辺方向及び／又は短辺方向における筺体の中央部に配置されてなることを特徴とする。
【００４８】
このため、重量物である電池２が箱型筺体の略中央に配置されることとなるため、安定性が向上する。また、箱型筺体をストラップ７Ｓ等を用いて首などに吊り下げる際の重量バランスが良く、安定角度でモニタ３を視認することができる。
【００４９】
本考案に係る監視カメラ用動作確認装置は、一対の短辺に対応する箱型筺体の側面に、取り付け角度が調整可能に接続され、下倒状態で箱型筺体下端から突出する一対のストラップリング７を備えている。
【００５０】
このため、箱型筺体の側面のストラップリング７Ｓの一方/他方/両側を下倒することで、監視カメラ用動作確認装置を地面等の水平面に載置した際に、箱型筺体の左側が右側よりも高い状態、箱型筺体の右側が左側よりも高い状態等、複数の状態を取り得ることができ、モニタ３の方向を調整することができる。このため、太陽光が射すような野外でのモニタ３の視認の際に、光の反射を抑制して視認しやすい角度に調整することができる。また、箱型筺体の裏面が接地しないため、接地による電磁緩衝を防ぐことができる。
【符号の説明】
【００５１】
１  回路基板
１０１  下筺体
１０１ａ〜１０１ｄ  側面
１０２  上筺体
２  電池
２０  電池ボックス
３  液晶モニタ
５  ＯＮ／ＯＦＦスイッチ
６Ａ  第１コネクタ（第１の外部接続端子）
６Ｂ  第２コネクタ（第２の外部接続端子）
６１Ａ，６１Ｂ  切り替えスイッチ
７  ストラップリング
７０  ピン
８  電源コネクタ
ＣＣ  同軸ケーブル
Ｘ  幅方向
Ｙ  奥行方向
Ｚ  高さ方向
【図１】
0003211843.tif 000003
【図２】
0003211843.tif 000004
【図３】
0003211843.tif 000005
【図４】
0003211843.tif 000006
【図５】
0003211843.tif 000007
【手続補正書】
【提出日】平成29年6月19日(2017.6.19)
【手続補正１】
【補正対象書類名】実用新案登録請求の範囲
【補正対象項目名】全文
【補正方法】変更
【補正の内容】
【実用新案登録請求の範囲】
【請求項１】
監視カメラの撮像動作を確認するためのモニタを備え、前記監視カメラから出力される撮像信号が第１の伝送方式で出力されるか第２の伝送方式で出力されるかに応じて、前記撮像信号の受信方式を切り替え可能な監視カメラ用動作確認装置であって、
前記監視カメラへ駆動電力を供給するとともに、前記監視カメラからの撮像信号を受信するための同軸ケーブルを接続する第１の外部接続端子と、
前記監視カメラからの撮像信号を受信するための同軸ケーブルを接続する第２の外部接続端子とを具備し、
前記監視カメラの撮像信号が第１の伝送方式で出力される場合、前記第１の外部接続端子に接続された同軸ケーブルから前記監視カメラへ駆動電力を供給するとともに、前記監視カメラからの撮像信号を受信し、
前記監視カメラの撮像信号が第２の伝送方式で出力される場合、前記第１の外部接続端子に接続された同軸ケーブルから前記監視カメラへ駆動電力を供給し、前記第２の外部接続端子に接続された同軸ケーブルで前記監視カメラからの撮像信号を受信することを特徴とする監視カメラ用動作確認装置。
【請求項２】
前記第１の伝送方式は、前記撮像信号をアナログ信号として出力し、
前記第２の伝送方式は、前記撮像信号をデジタル信号として出力する、請求項１に記載の監視カメラ用動作確認装置。
【請求項３】
前記第１の外部接続端子との間に、前記監視カメラへ駆動電力を供給する際に過電流を制限する過電流制限回路が介配線されてなる、請求項１又は２に記載の監視カメラ用動作確認装置。
【請求項４】
前記監視カメラ用動作確認装置は、
平面視が、一対の長辺および一対の短辺からなる略矩状の箱型筺体であり、
前記監視カメラへ駆動電力を供給する電源となる電池が、前記長辺方向及び／又は前記短辺方向における前記筺体の中央部に配置されてなる、請求項１ないし３のいずれかに記載の監視カメラ用動作確認装置。
【請求項５】
前記一対の短辺に対応する前記箱型筺体の側面に、取り付け角度が調整可能に接続され、
下倒状態で前記箱型筺体下端から突出する一対のストラップリングを備える、請求項４に記載の監視カメラ用動作確認装置。